(57)【要約】【課題】視聴に対する真剣度が変化しても、視聴者に満足感を与えるように画像信号を補正することが可能な画質制御回路を提供する。【解決手段】音声信号解析回路１０３は、音声信号入力部１０１が受け付けた映像信号に含まれる音声信号の特性を解析する。画質補正回路１０４は、音声信号解析回路１０３にて解析された解析結果に応じて、画像信号入力部１０２が受け付けた映像信号に含まれる画像信号を補正する。【選択図】図１
2008118374.tif 000002
【特許請求の範囲】
【請求項１】
映像信号に含まれる音声信号を受け付ける音声信号入力部と、
前記映像信号に含まれる画像信号を受け付ける画像信号入力部と、
前記音声信号入力部が受け付けた音声信号の特性を解析する音声信号解析部と、
前記音声信号解析部にて解析された音声信号の特性に応じて、前記画像信号入力部が受け付けた画像信号を補正する画質補正部と、を含む画質制御回路。
【請求項２】
請求項１に記載の画質制御回路において、
前記音声信号解析部は、
前記音声信号入力部が受け付けた音声信号の互いに異なる複数の特性のそれぞれを解析する複数の解析部と、
前記音声信号の複数の特性のいずれか一つを選択する選択信号を受け付ける選択信号入力部と、
前記選択信号入力部が受け付けた選択信号に従って、前記音声信号の複数の特性のいずれか一つを選択する選択部と、を含み、
前記画質補正部は、前記選択部にて選択された音声信号の特性に応じて、前記画像信号入力部が受け付けた画像信号を補正する、画質制御回路。
【請求項３】
請求項２に記載の画質制御回路において、
前記音声信号の特性は、テンポおよび音声レベルであり、
前記画質補正部は、前記選択部にて選択されたテンポまたは音声レベルが大きいほど、前記画像信号入力部が受け付けた画像信号の鮮明度を上げる、画質制御回路。
【請求項４】
請求項２に記載の画質制御回路において、
前記音声信号の特性は、テンポおよび音声レベルであり、
前記画質補正部は、前記選択部にて選択されたテンポまたは音声レベルが大きいほど、前記画像信号入力部が受け付けた画像信号の鮮明度を下げる、画質制御回路。
【請求項５】
画質制御回路が行なう画質制御方法であって、
映像信号に含まれる音声信号を受け付ける音声信号入力ステップと、
前記映像信号に含まれる画像信号を受け付ける画像信号入力ステップと、
前記受け付けた音声信号の特性を解析する解析ステップと、
前記解析された音声信号の特性に応じて、前記受け付けられた画像信号を補正する補正ステップと、を含む画質制御方法。
【請求項６】
請求項５に記載の画質制御方法において、
前記受け付けられた音声信号の互いに異なる複数の特性のそれぞれを解析する特性解析ステップと、
前記音声信号の複数の特性のいずれか一つを選択する選択信号を受け付ける選択信号入力ステップと、
前記受け付けられた選択信号に従って、前記音声信号の複数の特性のいずれか一つを選択する選択ステップと、を含み、
前記補正ステップでは、前記選択された音声信号の特性に応じて、前記受け付けられた画像信号を補正する、画質制御方法。
【請求項７】
請求項６に記載の画質制御方法において、
前記音声信号の特性は、テンポおよび音声レベルであり、
前記補正ステップでは、前記選択されたテンポまたは音声レベルが大きいほど、前記受け付けられた画像信号の鮮明度を上げる、画質制御方法。
【請求項８】
請求項６に記載の画質制御方法において、
前記音声信号の特性は、テンポおよび音声レベルであり、
前記補正ステップでは、前記選択されたテンポまたは音声レベルが大きいほど、前記受け付けられた画像信号の鮮明度を下げる、画質制御方法。
【発明の詳細な説明】
【技術分野】
【０００１】
本発明は、画像信号の補正を行なう画質制御回路および画質制御方法に関する。
【背景技術】
【０００２】
画像信号および音声信号を単に出力するのではなく、画像信号および音声信号を関連づけて出力する技術が提案されている。
【０００３】
例えば、特許文献１（特開２００１−９２４３４号公報）には、音声信号に応じて表示画像を変えて、スライドショー表示を行なう情報処理装置が記載されている。
【０００４】
この情報処理装置は、所定の周波数帯の音声レベルがしきい値以上になると、予め格納された複数の画像から一つの画像を選択する。また、情報処理装置は、周波数帯ごとの音声レベルを表すスペクトラムアナライザ画像信号を、その選択された画像に合成し、その合成画像を表示する。さらに、情報処理装置は、特定の周波数帯の音声レベルがしきい値以上になると、その合成方法を切り替える。
【０００５】
これにより、視聴者に面白みを与えることが可能になっている。
【特許文献１】特開２００１−９２４３４号公報
【発明の開示】
【発明が解決しようとする課題】
【０００６】
映画またはドラマなどのコンテンツは、場面に応じて視聴者の視聴に対する真剣度が変化するように製作される場合が多い。例えば、コンテンツは、見せ場などでは、音声信号の特性が変えられ、例えば、テンポまたは音声レベルの大きい音声信号が出力され、視聴者の真剣度を増やすように製作される。
【０００７】
視聴に対する真剣度が変ると、同じ画質でも視聴者の満足感が変化する。例えば、視聴者は、視聴に対する真剣度が増すと、画像信号の鮮明度が悪いことが気にかかり、満足感が軽減するかもしれないし、画像信号の鮮明度が良過ぎるために、眼に疲労感を覚えるかもしれない。
【０００８】
特許文献１に記載の情報処理装置では、音声信号に応じて異なる合成画像を表示し、表示画像に面白みを与えているが、画質に関する記載はない。
【０００９】
本発明の目的は、視聴に対する真剣度が変化しても、視聴者に満足感を与えるように画像信号を補正することが可能な画質制御回路および画質制御方法を提供することである。
【課題を解決するための手段】
【００１０】
上記の目的を達成するために、本発明の画質制御回路は、映像信号に含まれる音声信号を受け付ける音声信号入力部と、前記映像信号に含まれる画像信号を受け付ける画像信号入力部と、前記音声信号入力部が受け付けた音声信号の特性を解析する音声信号解析部と、前記音声信号解析部にて解析された音声信号の特性に応じて、前記画像信号入力部が受け付けた画像信号を補正する画質補正部と、を含む。
【００１１】
また、本発明の画質制御方法は、画質制御回路が行なう画質制御方法であって、映像信号に含まれる音声信号を受け付ける音声信号入力ステップと、前記映像信号に含まれる画像信号を受け付ける画像信号入力ステップと、前記受け付けた音声信号の特性を解析する解析ステップと、前記解析された音声信号の特性に応じて、前記受け付けられた画像信号を補正する補正ステップと、を含む。
【００１２】
上記の発明によれば、映像信号に含まれる画像信号が、その映像信号に含まれる音声信号の特性に応じて補正される。音声信号の特性は、視聴に対する真剣度を表す可能性が高い。
【００１３】
このため、視聴に対する真剣度に応じて画像信号を補正することが可能になる。したがって、視聴に対する真剣度が変化しても、視聴者に満足感を与えることが可能になる。
【００１４】
また、前記音声信号解析部は、前記音声信号入力部が受け付けた音声信号の互いに異なる複数の特性のそれぞれを解析する複数の解析部と、前記音声信号の複数の特性のいずれか一つを選択する選択信号を受け付ける選択信号入力部と、前記選択信号入力部が受け付けた選択信号に従って、前記音声信号の複数の特性のいずれか一つを選択する選択部と、を含み、前記画質補正部は、前記選択部にて選択された音声信号の特性に応じて、前記画像信号入力部が受け付けた画像信号を補正することが望ましい。
【００１５】
上記の発明によれば、選択信号に応じて、音声信号の複数の特性のいずれか一つが選択される。また、画像信号が、その選択された音声信号の特性に応じて補正される。
【００１６】
このため、音声信号の所望の特性に応じて画像信号を補正することが可能になる。
【００１７】
また、前記音声信号の特性は、テンポおよび音声レベルであり、前記画質補正部は、前記選択部にて選択されたテンポまたは音声レベルが大きいほど、前記画像信号入力部が受け付けた画像信号の鮮明度を上げることが望ましい。
【００１８】
視聴者は、真剣度が増すと、画像信号の鮮明度が悪いことが気にかかり、満足感が軽減するかもしれない。
【００１９】
上記の発明によれば、テンポまたは音声レベルが大きいほど、画像信号の鮮明度が上がる。コンテンツの見せ場などでは、視聴者の真剣度を上げるために、テンポまたは音声レベルの大きい音楽などが出力される可能性が高い。
【００２０】
このため、視聴者に満足感を与えることが可能になる。
【００２１】
また、前記音声信号の特性は、テンポおよび音声レベルであり、前記画質補正部は、前記選択部にて選択されたテンポまたは音声レベルが大きいほど、前記画像信号入力部が受け付けた画像信号の鮮明度を下げることが望ましい。
【００２２】
視聴者は、視聴に対する真剣度が増すと、画像信号の鮮明度が良すぎるために、目に疲労感を覚えるかもしれない。
【００２３】
上記の発明によれば、テンポまたは音声レベルが大きいほど、画像信号の鮮明度が下がる。このため、目の疲労感を軽減することが可能になる。
【発明の効果】
【００２４】
本発明によれば、視聴に対する真剣度が変化しても、視聴者に満足感を与えるように画像信号を補正することが可能になる。
【発明を実施するための最良の形態】
【００２５】
以下、本発明の実施例について図面を参照して説明する。
【００２６】
図１は、本発明の一実施例の画質制御回路の構成を示したブロック図である。
【００２７】
図１において、画質制御回路は、音声信号入力部１０１と、画像信号入力部１０２と、音声信号解析回路１０３と、画質補正回路１０４と、補正画像信号出力部１０５とを含む。
【００２８】
音声信号入力部１０１は、映像信号に含まれる音声信号を受け付ける。なお、この音声信号はアナログ信号でもよいし、デジタル信号でもよい。以下、音声信号は、アナログ信号であるとする。
【００２９】
画像信号入力部１０２は、映像信号に含まれる画像信号を受け付ける。なお、この画像信号は、アナログ信号でもよいし、デジタル信号でもよい。以下、画像信号は、アナログ信号とする。
【００３０】
音声信号解析回路１０３は、音声信号入力部１０１が受け付けた音声信号の特性を解析する。音声信号の特性は、例えば、周波数（音域）、テンポおよび音声レベルなどである。なお、音声信号の特性は、周波数、テンポおよび音声レベルに限らず適宜変更可能である。
【００３１】
以下、音声信号の特性は、テンポおよび音声レベルであるとする。
【００３２】
図２は、音声信号解析回路１０３の構成の一例を示したブロック図である。
【００３３】
図２において、音声信号解析回路１０３は、音声信号入力部２０１と、Ａ／Ｄ変換回路２０２と、テンポ解析回路２０３と、レベル解析回路２０４と、セレクタ２０５と、選択信号入力部２０６と、音声信号出力部２０７とを含む。
【００３４】
音声信号入力部２０１は、音声信号入力部１０１から、音声信号を受け付ける。
【００３５】
Ａ／Ｄ変換回路２０２は、アナログ信号である音声信号をデジタル信号に変換する。これにより、音声信号の特性の解析が容易になる。
【００３６】
テンポ解析回路２０３は、Ａ／Ｄ変換回路２０２がデジタル信号に変換した音声信号のテンポを解析する。例えば、テンポ解析回路２０３は、その音声信号の音声レベル（信号レベル）のピークの周期を解析し、その周期に基づいて、その周期に基づいて音声信号のテンポを解析する。また、テンポ解析回路２０３は、その音声信号のテンポを段階的な値として求める。
【００３７】
レベル解析回路２０４は、Ａ／Ｄ変換回路２０２にてデジタル信号に変換された音声信号の音声レベルを解析する。例えば、レベル解析回路２０４は、その音声信号の音声レベルを段階的な値として求める。なお、レベル解析回路２０４は、所定の周波数帯の音声レベルを解析してもよい。所定の周波数帯は、例えば、高域周波数帯および低域周波数帯である。
【００３８】
音声信号のテンポおよび音声レベルの示す値は、０および１の２値化された値でもよいし、３以上の段数で示される値でもよい。なお、その値が大きいほど、音声信号のテンポおよび音声レベルが大きいとする。
【００３９】
また、音声信号解析回路１０３が、テンポ解析回路２０３を含まず、音声レベルだけを解析する場合、Ａ／Ｄ変換器２０２はなくてもよい。
【００４０】
セレクタ２０５は、選択信号入力部２０６が受け付けた選択信号に従って、テンポ解析回路２０３にて解析されたテンポと、レベル解析回路２０４にて解析された音声レベルと、のどちらか一方を選択する。選択信号は、テンポおよび音声レベルを選択する信号である。
【００４１】
選択信号入力部２０６は、選択信号を受け付ける。
【００４２】
画質補正回路１０４は、セレクタ２０５にて選択されたテンポまたは音声レベルに応じて、画像信号入力部１０２が受け付けた画像信号を補正する。例えば、画質補正回路１０４は、そのテンポまたは音声レベルが大きいほど、その画像信号の鮮明度を上げる。また、画質補正回路１０４は、そのテンポまたは音声レベルが大きいほど、その画像信号の鮮明度を下げてもよい。
【００４３】
次に動作を説明する。
【００４４】
音声信号入力部１０１は、音声信号を受け付けると、その音声信号を音声信号解析回路１０３の音声信号入力部２０１に出力する。
【００４５】
音声信号入力部２０１は、その音声信号を受け付けると、その音声信号をＡ／Ｄ変換器２０２に出力する。
【００４６】
Ａ／Ｄ変換器２０２は、その音声信号を受け付けると、その音声信号をデジタル信号に変換し、そのデジタル信号に変換した音声信号をテンポ解析回路２０３およびレベル解析回路２０４に出力する。
【００４７】
テンポ解析回路２０３は、その音声信号を受け付けると、その音声信号の音声レベルのピークの周期を解析し、その周期に基づいて、その音声信号のテンポを段階的に求める。テンポ解析回路２０３は、その求めたテンポをセレクタ１０４に出力する。
【００４８】
一方、レベル解析回路２０４は、その音声信号を受け付けると、その音声信号の音声レベルを段階的に求める。レベル解析回路２０４は、その求めた音声レベルをセレクタ１０４に出力する。
【００４９】
セレクタ１０４は、テンポ解析回路２０３からテンポを受け付け、レベル解析回路２０４から音声レベルを受け付ける。また、セレクタ１０４は、選択信号入力部２０６から選択信号を受け付ける。
【００５０】
セレクタ１０４は、その選択信号に応じて、そのテンポまたは音声レベルを、音声信号出力部２０７を介して画質補正回路１０４に出力する。
【００５１】
画質補正回路１０４は、テンポまたは音声レベルを受け付けると、そのテンポまたは音声レベルに応じて画像信号入力部１０２から受け付けた画像信号を補正する。
【００５２】
次に、画像信号の補正について説明する
画質補正回路１０４が行う画像信号の補正は、例えば、シャープネス補正、コントラスト補正、トランジェント補正、ガンマ補正およびフレア補正などである。なお、画質補正回路１０４が行う画像信号の補正は、シャープネス補正、コントラスト補正、トランジェント補正、ガンマ補正およびフレア補正に限らず適宜変更可能である。また、画質補正回路１０４は、これらの補正の中の一つの補正を行なってもよいし、複数の補正を行なってもよい。
【００５３】
先ず、フレア補正について説明する。
【００５４】
フレア補正は、フレアを補正して、表示画像信号の輝度差の大きい輝度エッジ（例えば、白領域と黒領域の境界）をはっきりさせることである。フレアとは、テレビジョン受像機またはビデオプロジェクタなどの画像信号表示装置において、受像管や投射管のレンズまたは照射面における光の反射や散乱のために、明るいところの光が暗いところに漏れ、表示画像信号の輝度差の大きい輝度エッジがぼける現象である。
【００５５】
フレア補正を行なうフレア補正回路は、既に知られている。例えば、このフレア補正回には、特開２００２−２９０７７２号公報に記載されている画質改善装置などの回路が適用できるので、詳しい説明は省略するが、基本的な回路構成は、図３に示すとおりである。
【００５６】
図３は、フレア補正回路の一例を示したブロック図である。図３において、フレア補正回路は、制御信号入力部３００と、垂直ローパスフィルタ３０１と、水平ローパスフィルタ３０２と、遅延回路３０３と、減算器３０４と、利得調整回路３０５と、加算器３０６とを含む。なお、アナログ信号である画像信号をデジタル信号に変換するＡ／Ｄ変換回路と、そのデジタル変換された画像信号から輝度信号および色差信号を分離する分離回路については、当業者にとって自明なため、図示していない。
【００５７】
制御信号入力部３００は、音声信号解析回路１０３から音声信号の特性を受け付け、その音声信号の特性を利得調整回路３０５に出力する。
【００５８】
垂直ローパスフィルタ３０１は、分離回路から画像信号の輝度信号を受け付け、その輝度信号の垂直方向の低域成分を抽出する。垂直ローパスフィルタ３０１は、その輝度信号を遅延回路３０３に出力し、その輝度信号の垂直方向の低域成分を、水平ローパスフィルタ３０２に出力する。
【００５９】
水平ローパスフィルタ３０２は、垂直ローパスフィルタ３０１から受け付けた輝度信号の垂直方向の低域成分の水平方向の低域成分（以下、２次元低域信号と呼ぶ）を抽出する。水平ローパスフィルタ３０２は、その２次元低域信号を減算器３０４に出力する。
【００６０】
遅延回路３０３は、垂直ローパスフィルタ３０１から受け付けた輝度信号を遅延して、減算器３０４と、利得調整回路３０５と、加算器３０６とに出力する。遅延回路３０３による遅延時間は、垂直ローパスフィルタ３０１および水平ローパスフィルタ３０２におけるフィルタ処理の所要時間である。
【００６１】
減算器３０４は、遅延回路３０３から受け付けた輝度信号から、水平ローパスフィルタから受け付けた２次元低域信号を減算してエッジ信号を生成する。なお、このエッジ信号は、輝度エッジを示す。
【００６２】
減算器３０４は、そのエッジ信号を利得調整回路３０５に出力する。
【００６３】
利得調整回路３０５は、減算器３０４から受け付けたエッジ信号のゲインを調節し、そのゲインが調節されたエッジ信号を加算器３０６に出力する。具体的には、利得調節回路３０５は、先ず、遅延回路３０３から受け付けた輝度信号に応じてエッジ信号の大きさが所定の大きさになるように調節する。続いて、利得調節回路３０５は、制御信号入力部３００から受け付けた音声信号の特性に応じて、そのエッジの大きさをさらに調節する。なお、このエッジの大きさが大きいほど、画像信号（輝度エッジ）がはっきりする。
【００６４】
利得調節回路３０５は、その調節したエッジ信号を加算器３０６に出力する。
【００６５】
加算器３０６は、遅延回路３０３から受け付けた輝度信号に、利得調節回路３０５から受け付けたエッジ信号を加算し、その加算結果を補正画像信号出力部１０５に出力する。
【００６６】
次に、トランジェント補正について説明する。
【００６７】
トランジェント補正は、シャープネス補正と同様に画像信号の輪郭を強調する補正であるが、シャープネス補正と異なり、画像信号のエッジの勾配を高くすることで、オーバーシュート、アンダーシュートおよびリンギングなしに、画像信号の輪郭を強調することである。
【００６８】
トランジェント補正において、画像信号の輝度エッジの勾配を高くする補正は、ＬＴＩ（ルミナンス・トランジェント・インプルーブメント：Luminance Transient Improvement）と呼ばれ、画像信号の色差エッジの勾配を高くする補正は、ＣＴＩ(カラー・トランジェント・インプルーブメント：Color Transient Improvement）と呼ばれる。色差エッジは、表示画像信号の色差の大きいエッジである。
【００６９】
トランジェント補正を行なうトランジェント補正回路は、既に知られているため、詳しい説明は省略するが、基本的な回路構成は、図４に示すとおりである。
【００７０】
図４は、トランジェント補正回路の構成の一例を示した回路図である。図４において、トランジェント補正回路は、制御信号入力端子５００と、画像信号入力端子５０１と、Ｄ型フリップフロップ５０２ないし５０７と、除算器５０８および５０９と、加算器５１０と、乗算器５１１と、最大値検出回路５１２と、最小値検出回路５１３と、加算器５１４と、中間値検出回路５１５と、画像信号出力端子５１６と、制御信号入力端子５１７とを含む。なお、アナログ信号である画像信号をデジタル信号に変換するＡ／Ｄ変換回路と、そのデジタル変換された画像信号から輝度信号および色差信号を分離する分離回路は、当業者にとって自明なため図示していない。
【００７１】
なお、トランジェント補正回路は、輝度信号を受け付け、その輝度信号に対してトランジェント補正を行なう場合、ＬＴＩ補正回路と呼ばれ、色差信号を受け付け、その色差信号に対してトランジェント補正を行なう場合、ＣＴＩ補正回路と呼ばれる。以下、ＬＴＩ回路を例に説明し、ＣＴＩ回路の説明は省略する。
【００７２】
制御信号入力端子５００は、音声信号解析回路１０３から音声信号の特性を受け付け、その音声信号の特性を乗算器５００に出力する。
【００７３】
画像信号入力端子５０１は、分離回路から輝度信号を受け付け、その輝度信号を、Ｄ型フリップフロップ５０２ないし５０７からなるタップ構成回路に出力する。
【００７４】
フリップフロップ５０２、５０４および５０７は、輝度信号を、最大値検出回路５１２および最小値検出回路５１３に出力する。また、フリップフロップ５０４は、輝度信号を加算器５１０および５１４に出力する。
【００７５】
図５は、トランジェント補正回路の動作を説明するための模式図である。図５において、縦軸は、信号レベルであり、横軸は、時間である。
【００７６】
波形６０１は、フリップフロップ５０２から出力される輝度信号の波形を示す。波形６０２は、フリップフロップ５０７から出力される輝度信号の波形を示す。
【００７７】
タップ構成回路は、画像信号入力部５０１から受け付けた輝度信号から６タップを構成する。
【００７８】
除算器５０８および５０９と、加算器５１０とは、ハイパスフィルタを構成し、輝度信号の高域成分を抽出する。
【００７９】
除算器５０８は、Ｄ型フリップフロップ５０３から受け付けた輝度信号を、−１／２倍し、その−１／２倍した輝度信号を加算器５１０に出力する。
【００８０】
除算器５０９は、Ｄ型フリップフロップ５０４から受け付けた輝度信号を、−１／２倍し、その−１／２倍して輝度信号を加算器５１０に出力する。
【００８１】
加算器５１０は、Ｄ型フリップフロップ５０４から受け付けた輝度信号と、除算器５０８から受け付けた−１／２倍された輝度信号と、除算器５０８から受け付けた−１／２倍された輝度信号との和を、輝度信号の高域成分として出力する。
【００８２】
乗算器５１１は、制御信号入力端子５００から受け付けた音声信号の特性応じて、加算器５１０から受け付けた輝度信号の高域成分を調節する。乗算器５１１がこの高域成分を大きくすると、輪郭の強調が強くなり、乗算器５１１がこの高域成分を小さくすると、輪郭の強調が弱くなる。
【００８３】
乗算器５１１は、その調節した高域成分を加算器５１４に出力する。
【００８４】
最大値検出回路５１２は、Ｄ型フリップフロップ５０２、５０４および５０７のそれぞれから受け付けた輝度信号の中から、最大の信号レベルの輝度信号（以下、最大輝度信号と呼ぶ）を中間値検出回路５１５に出力する。
【００８５】
最小値検出回路５１３は、Ｄ型フリップフロップ５０２、５０４および５０７のそれぞれ受け付けた輝度信号の中から、最小の信号レベルの輝度信号（以下、最小輝度信号と呼ぶ）を中間値検出回路５１５に出力する。
【００８６】
加算器５１４は、Ｄ型フリップフロップ５０４から受け付けた信号と、乗算器５１１から受け付けた高域成分との和を求め、その和（以下、高域付与信号と呼ぶ）を中間値検出回路５１５に出力する。図５において、波形６０３は、高域付与信号を示す。
【００８７】
中間値検出回路５１５は、最大値検出回路５１２から受け付けた最大輝度信号と、最小値検出回路５１３から受け付けた最小輝度信号と、加算器５１４から受け付けた高域付与信号と、の中間値となる信号（以下、補正後信号と呼ぶ）を生成し、その生成した補正後信号を、画像信号出力端子５１６を介して出力する。
【００８８】
図５において、波形６０４は、波形６０１ないし６０３を重ねて示した波形である。なお、時刻ｔ０ないしｔ１と、時刻ｔ２以降では、フリップフロップ５０２から出力された輝度信号（波形６０１）が最小値検回路５１３から出力され、フリップフロップ５０７から出力された輝度信号（波形６０２）が最大値検回路５１２から出力されるとする。また、時刻ｔ１ないしｔ２では、フリップフロップ５０２からの出力された輝度信号（波形６０１）が最大値検回路５１２から出力され、フリップフロップ５０７から出力された輝度信号（波形６０２）が最小値検回路５１２から出力されるとする。
【００８９】
波形６０５は、波形６０１ないし６０３の中間値となる波形であり、補正後信号の波形を示す。
【００９０】
シャープネス補正、コントラスト補正およびガンマ補正については、当業者にとって自明なため、シャープネス補正回路、コントラスト補正回路およびガンマ補正回路の説明は省略する。
【００９１】
画質補正回路１０４は、その音声信号のテンポまたは音声レベルが大きいほど、その画像信号の鮮明度を上げる場合には、音声信号のテンポまたは音声レベルが大きいほど、シャープネスを強くする、コントラストを大きくする、エッジ（輝度エッジおよび色差エッジの少なくともどちらか一方）の勾配を高くして輪郭を強調する、ガンマ補正におけるガンマ値を１に近づける、および、フレア補正を強くして画像信号をはっきりさせる、の少なくともいずれか一つを行なう。
【００９２】
また、画質補正回路１０４は、その解析結果である音声信号の周波数または音声レベルが大きいほど、その画像信号の鮮明度を下げる場合には、音声信号の周波数または音声レベルが大きいほど、シャープネスを弱くする、コントラストを小さくする、エッジの勾配を低くして輪郭の強調を弱める、ガンマ値を１から遠ざける、および、フレア補正を弱くして画像信号をぼかす、の少なくともいずれか一つを行なう。
【００９３】
本実施例によれば、音声信号解析回路１０３は、音声信号入力部１０１が受け付けた映像信号に含まれる音声信号の特性を解析する。画質補正回路１０４は、音声信号解析回路１０３にて解析された解析結果に応じて、画像信号入力部１０２が受け付けた映像信号に含まれる画像信号を補正する。
【００９４】
この場合、映像信号に含まれる画像信号が、その映像信号に含まれる音声信号の特性に応じて補正される。音声信号の特性は視聴者の真剣度を表す可能性が高い。このため、視聴に対する真剣度に応じて画像信号を補正することが可能になる。したがって、視聴に対する真剣度が変化しても、視聴者に満足感を与えることが可能になる。
【００９５】
また、テンポ解析回路２０３は、音声信号入力部１０１が受け付けた音声信号のテンポを解析する。レベル解析回路２０４は、音声信号入力部１０１が受け付けた音声信号の音声レベルを解析する。セレクタ２０５は、選択信号入力部２０６が受け付けた選択信号に応じて、そのテンポおよび音声レベルのどちらか一方を選択する。画質補正回路１０４は、その選択されたテンポまたは音声レベルに応じて、画像信号を補正する。
【００９６】
この場合、音声信号の所望の特性に応じて画像信号を補正することが可能になる。
【００９７】
また、画質補正回路１０４は、セレクタ２０５が選択したテンポまたは音声レベルが大きいほど、画像信号の鮮明度を上げる。コンテンツの見せ場などでは、視聴者の高揚感を上げるために、音声信号として、テンポまたは音声レベルの大きい音楽などが出力される可能性が高い。
【００９８】
従来、視聴者は、真剣度が増すと、画像信号の鮮明度が悪いことが気にかかり、満足感が軽減するかもしれない。本実施例では、テンポまたは音声レベルが大きいほど、画像信号の鮮明度が上がるので、視聴者に満足感を与えることが可能になる。
【００９９】
また、画質補正回路１０４は、セレクタ２０５が選択したテンポまたは音声レベルが大きいほど、画像信号の鮮明度を下げる。
【０１００】
従来、視聴者は、視聴に対する真剣度が増すと、画像信号の鮮明度が良すぎるために、目に疲労感を覚えるかもしれない。本実施例では、テンポまたは音声レベルが大きいほど、画像信号の鮮明度が下がるので、目の疲労感を軽減することが可能になる。
【０１０１】
また、本実施例では、音声信号入力部１０１が受け付ける音声信号と、画像信号入力部が受け付ける画像信号とは同じコンテンツに含まれる。
【０１０２】
以上説明した実施例において、図示した構成は単なる一例であって、本発明はその構成に限定されるものではない。
【０１０３】
例えば、セレクタ２０５がテンポおよび音声レベルのどちらか一方を選択していたが、音声信号解析回路１０３は、テンポおよび音声レベルを両方とも画質補正回路１０４に出力してもよい。
【０１０４】
この場合、例えば、画質補正回路１０４は、テンポおよび音声レベルを受け付けると、テンポおよび音声レベルの和を求め、その和に応じて画像信号入力部が受け付けた画像信号を補正する。例えば、画質補正回路１０４は、その和が大きいほど画像信号の鮮明度を上げてもよいし、その和が大きいほど鮮明度を下げてもよい。
【図面の簡単な説明】
【０１０５】
【図１】本発明の一実施例の画質制御回路の構成を示したブロック図である。
【図２】音声信号解析回路の構成の一例を示したブロック図である。
【図３】フレア補正回路の構成の一例を示したブロック図である。
【図４】トランジェント補正回路の構成の一例を示した回路図である。
【図５】トランジェント補正回路の動作を説明するための模式図である。
【符号の説明】
【０１０６】
１０１    音声信号入力部
１０２    画像信号入力部
１０３    音声信号解析部
１０４    画質補正回路
１０５    補正画像信号出力部
２０１    音声信号入力部
２０２    Ａ／Ｄ変換回路
２０３    テンポ解析回路
２０４    レベル解析回路
２０５    セレクタ
２０６    選択信号入力部
２０７    音声信号出力部
【図１】
2008118374.tif 000003
【図２】
2008118374.tif 000004
【図３】
2008118374.tif 000005
【図４】
2008118374.tif 000006
【図５】
2008118374.tif 000007